(57)【要約】【課題】扉本体の紛失、破損などを確実に防止しながらも扉本体の「左開き」および「右開き」を選択的に実行することができる石製灯籠用扉および石製灯籠を提供する。【解決手段】上方リンク部材１３１は、その一方端が上方回動支持部４３に対して回動軸ＲＡ１回りに回動自在に軸支されるとともに、その他方端が扉本体１２の左側端部１２Ｌの上方端に取り付けられた回動支持部１２４に対して回動軸ＲＡ２回りに回動自在に軸支されている。また、もう一方の下方リンク部材１３２も上方リンク部材１３１と同様に構成されている。このため、固定部１１に対して連結部１３を介して扉本体１２が常に連結されており、その連結状態を維持したまま扉本体１２を「左開き」、「右開き」に回動させたり、「全開き」することが可能となっている。【選択図】図３
2010287500.tif 000002
【特許請求の範囲】
【請求項１】
その正面に開口部を有する石製灯籠に装着されて前記開口部を開閉する石製灯籠用扉において、
前記開口部の周縁部に対して装着自在な固定部と、
前記開口部に対して離接自在に設けられ、前記開口部に近接することで前記開口部を覆って閉じる扉本体と、
前記固定部に対して前記扉本体を連結する連結部とを備え、
前記開口部の左右方向の一方を第１方向とし、他方を第２方向としたとき、
前記連結部は、前記固定部の第１方向側端部に対して一方端が軸支されるとともに前記扉本体の第２方向側端部に対して他方端が軸支されたリンク部材を有し、
前記扉本体は、前記リンク部材の前記一方端を回動中心として回動可能で、前記リンク部材の前記他方端を回動中心として回動可能となっていることを特徴とする石製灯籠用扉。
【請求項２】
前記連結部は前記リンク部材として上方リンク部材と下方リンク部材を有しており、
前記上方リンク部材の一方端は前記第１方向側端部の上方端に軸支されるとともに、前記上方リンク部材の他方端は前記第２方向側端部の上方端に軸支され、
前記下方リンク部材の一方端は前記第１方向側端部の下方端に軸支されるとともに、前記下方リンク部材の他方端は前記第２方向側端部の下方端に軸支されている請求項１に記載の石製灯籠用扉。
【請求項３】
前記固定部の上方端部に対して係脱自在な上方係合部が前記上方リンク部材に設けられている請求項２に記載の石製灯籠用扉。
【請求項４】
前記固定部の下方端部に対して係脱自在な下方係合部が前記下方リンク部材に設けられている請求項２または３に記載の石製灯籠用扉。
【請求項５】
前記固定部は略円筒形状を有する前記石製灯籠に対して装着可能となっており、
前記固定部の上方端部および下方端部は湾曲成形され、前記上方端部は前記下方端部に比べて湾曲変形容易となっている請求項１ないし４のいずれか一項に記載の石製灯籠用扉。
【請求項６】
前記リンク部材はバネ鋼で構成されている請求項１ないし５のいずれか一項に記載の石製灯籠用扉。
【請求項７】
その正面に開口部が形成された灯籠本体部と、
請求項１ないし６のいずれか一項に記載の石製灯籠用扉とを備え、
前記固定部が前記灯籠本体部の開口部の周縁部に装着され、前記リンク部材の前記一方端を回動中心として前記扉本体と前記リンク部材を一体的に回動させることで前記第１方向から前記開口部が開閉され、前記リンク部材の前記他方端を回動中心として前記扉本体を単独で回動させることで前記第２方向から前記開口部が開閉されることを特徴とする石製灯籠。
【発明の詳細な説明】
【技術分野】
【０００１】
この発明は、寺院の境内や墓前等に設置される石製灯籠、該灯籠に適した扉に関するものである。
【背景技術】
【０００２】
従来、寺院の境内や墓前等に設置される石製灯籠として、例えば特許文献１に記載されたものが知られている。この石製灯籠では、石柱内部を刳り貫くとともに、その石柱正面に開口部を設けることによって灯籠本体部が形成されている。そして、灯籠本体部の内部に位置するロウソク立てにロウソクを立てることで、ロウソクから放射される光が開口部を介して灯籠本体部の外部に導かれて灯籠本体部の正面側を照らすことが可能となっている。また、上記特許文献１に記載の石製灯籠では、灯籠本体部に対するロウソクの収容および取出しを容易とし、しかもロウソクの火が消えるのを防止するために、石製灯籠用扉が開口部に対して開閉可能に灯籠本体部に装着されている。より具体的には、石製灯籠に対して開口部の周縁部で固定部が固定されるとともに、当該固定部に対して扉本体が回動自在に取り付けられており、扉本体の回動動作によって開口部を開閉する。
【０００３】
また、上記した石製灯籠では、開口部に対して石製灯籠用扉が「左開き」、「右開き」で開閉可能となっている。このため、ユーザは風向きに応じて「左開き」と「右開き」とを切り替えて強風時にも確実に、しかも容易にロウソクに点火することができる。また、ユーザは利き腕や荷物の手持ち状況に応じて自分にとって操作しやすい方向に扉本体を開閉することができ、優れた操作性が得られる。また、単一構成で「左開き」と「右開き」とのいずれにも対応することができ、優れた汎用性が得られる。
【先行技術文献】
【特許文献】
【０００４】
【特許文献１】特開２００６−２２８４４５号公報（図３）
【発明の概要】
【発明が解決しようとする課題】
【０００５】
ところで、上記特許文献１に記載の石製灯籠では、開口部に対する石製灯籠用扉の開閉方向を選択できるようにするために、次のような構成を採用している。すなわち、扉本体の左側および右側辺部にヒンジピンがそれぞれ設けられるとともに、各ヒンジピンに対応して固定部に左側および右側扉着脱部が設けられている。左側扉着脱部では、左側ヒンジピンが枢支部で係合されて枢支された状態のまま左側ヒンジピンを回動中心として扉本体を回動させることで「左開き」が実行可能となっている。また、右側扉着脱部では、右側ヒンジピンが枢支部で係合されて枢支された係合枢支状態のまま右側ヒンジピンを回動中心として扉本体を回動させることで「右開き」が実行可能となっている。
【０００６】
このように構成された石製灯籠用扉では、固定部に対して扉本体はヒンジピンと枢支部との係合のみで連結されており、固定部から扉本体を完全に取り外し可能となっている。このため、ユーザが固定部から取り外した扉本体を元に戻すのを忘れ、扉本体の紛失が発生することがあった。また、扉本体の取外や装着などの作業中にユーザが扉本体を落として損傷させたり、破損させるおそれがある。
【０００７】
この発明は、上記課題に鑑みなされたものであり、扉本体の紛失、破損などを確実に防止しながらも扉本体の「左開き」および「右開き」を選択的に実行することができる石製灯籠用扉および石製灯籠を提供することを目的とする。
【課題を解決するための手段】
【０００８】
この発明にかかる石製灯籠用扉は、その正面に開口部を有する石製灯籠に装着されて開口部を開閉するものであって、上記目的を達成するため、開口部の周縁部に対して装着自在な固定部と、開口部に対して離接自在に設けられ、開口部に近接することで開口部を覆って閉じる扉本体と、固定部に対して扉本体を連結する連結部とを備え、開口部の左右方向の一方を第１方向とし、他方を第２方向としたとき、連結部は、固定部の第１方向側端部に対して一方端が軸支されるとともに扉本体の第２方向側端部に対して他方端が軸支されたリンク部材を有し、扉本体は、リンク部材の一方端を回動中心として回動可能で、リンク部材の他方端を回動中心として回動可能となっていることを特徴としている。
【０００９】
また、この発明にかかる石製灯籠は、上記目的を達成するため、その正面に開口部が形成された灯籠本体部と、請求項１ないし６のいずれか一項に記載の石製灯籠用扉とを備え、固定部が灯籠本体部の開口部の周縁部に装着され、リンク部材の一方端を回動中心として扉本体とリンク部材を一体的に回動させることで第１方向から開口部が開閉され、リンク部材の他方端を回動中心として扉本体を単独で回動させることで第２方向から開口部が開閉されることを特徴としている。
【００１０】
ここで、連結部はリンク部材として上方リンク部材と下方リンク部材を有しており、上方リンク部材の一方端は第１方向側端部の上方端に軸支されるとともに、上方リンク部材の他方端は第２方向側端部の上方端に軸支され、下方リンク部材の一方端は第１方向側端部の下方端に軸支されるとともに、下方リンク部材の他方端は第２方向側端部の下方端に軸支されるように構成してもよい。
【００１１】
また、固定部の上方端部に対して係脱自在な上方係合部を上方リンク部材に設けたり、固定部の下方端部に対して係脱自在な下方係合部を下方リンク部材に設けてもよい。
【００１２】
また、略円筒形状を有する石製灯籠に対して固定部を装着する場合、固定部の上方端部および下方端部を湾曲成形し、上方端部が下方端部に比べて湾曲変形容易となるように構成してもよい。
【００１３】
さらに、リンク部材をバネ鋼で構成してもよい。
【図面の簡単な説明】
【００１４】
【図１】本発明にかかる石製灯籠の一実施形態を示す斜視図である。
【図２】図１の石製灯籠の断面図である。
【図３】図１の石製灯籠に装着される石製灯籠用扉を示す斜視図である。
【図４】灯籠本体部への扉の装着手順および扉本体の開閉動作を示す図である。
【発明を実施するための形態】
【００１５】
図１は本発明にかかる石製灯籠の一実施形態を示す斜視図であり、図２は図１の石製灯籠の断面図であり、図３は図１の石製灯籠に装着される石製灯籠用扉を示す斜視図である。この実施形態では、石製灯籠用扉１が石製灯籠２の灯籠本体部２２に対して着脱自在となっており、灯籠本体部２２に装着された状態で石製灯籠２の開口部２３に対して水平方向に開閉自在となっている。また、その開閉動作について、「左開き」、「右開き」および「全開き」を選択的に切替可能となっている。なお、この明細書では、扉本体１２の正面左側部を回動中心として水平方向に開閉する動作を「左開き」と称し、扉本体１２の正面右側部を回動中心として水平方向に開閉する動作を「右開き」と称し、扉本体１２を固定部１１から完全に離間させる動作を「全開き」と称する。また、水平方向Ｘのうち図３に示すように正面から見て右側方向（＋Ｘ）を「第１方向」と称し、左側方向（−Ｘ）を「第２方向」と称する。
【００１６】
石製灯籠２は、図１および図２に示すように、その下部が径大な基台部２１と、この基台部２１の上部に連設された略円筒形の灯籠本体部２２とで構成されている。そして、灯籠本体部２２の正面側（図２の右側）に開口部２３が設けられており、灯籠本体部２２の内部に位置するロウソク立てに立てられたロウソク（図示省略）から放射される光を石製灯籠２の外部に導いて石製灯籠２の正面側（図２の右側）を照らすことが可能となっている。また、この実施形態においても、灯籠本体部２２に対するロウソクの収容および取出しを容易とし、しかもロウソクの火が消えるのを防止するために、開口部２３に対して石製灯籠用扉１を装着可能で、しかも石製灯籠２への装着状態で石製灯籠２の開口部２３に対して開閉可能となっている。以下、石製灯籠用扉１の構成について詳述する。
【００１７】
石製灯籠用扉１は、灯籠本体部２２に対して固定可能な固定部１１と、灯籠本体部２２の略円筒形状に対応して湾曲成形された扉本体１２と、固定部１１に対して扉本体１２を連結する連結部１３とを備えている。この扉本体１２は例えばステンレス製などの金属製であり、その略中央部には、１つの窓部１２１が設けられている。そして、この窓部１２１にガラスなどの耐熱性透明部材１４が取着されている。具体的には、扉本体１２の上下部に固着された４つの係止爪部１２２によって、透明部材１４は扉本体１２に固定されている。また、扉本体１２の下部中央にロウソク立て１５が支持板１６を介して取り付けられている。したがって、必要に応じて扉本体１２を後述するように「左開き」、「右開き」に回動させたり、「全開き」することで、扉本体１２および透明部材１４が一体的に開口部２３に対して開閉される。なお、この実施形態では、ロウソク立て１５が支持板１６の先端部に固着されているが、ロウソク立て１５を支持板１６に対して着脱自在に構成してもよい。また、支持板１６を枠部材４や後述する固定部材５２などに対して着脱自在に構成してもよい。なお、このように構成された扉本体１２のうち正面左側端部１２Ｌが後述するように連結部１３と連結され、本発明の「第２方向側端部」に相当する。
【００１８】
一方、固定部１１は開口部２３の周縁部に着脱自在となっており、中央部に開口部２３と同程度または若干狭い開口部４１を有する枠部材４と固定機構５とを有している。この枠部材４の開口部４１は上下方向Ｙにおいて扉本体１２の高さとほぼ同程度あるいは若干広く、左右方向Ｘにおいて扉本体１２の幅よりも狭くなっている。このため、図１および図２に示すように、扉本体１２を固定部１１の枠部材４に近接配置させることで扉本体１２が枠部材４の開口部４１を覆って開口部２３を閉じることが可能となっている。より詳しくは、枠部材４は、開口部２３の右側端部に当接可能に設けられた右側端部４２Ｒと、開口部２３の左側端部に当接可能に設けられた左側端部４２Ｌと、開口部２３の上方端部に当接可能に設けられた上方端部４２Ｕと、開口部２３の下方端部に当接可能に設けられた下方端部４２Ｄとを有しており、これら４つの端部４２Ｒ、４２Ｌ、４２Ｕ、４２Ｄで取り囲んで開口部４１が形成されている。なお、これら端部４２Ｒ、４２Ｌ、４２Ｕ、４２Ｄがそれぞれ本発明の「第１方向側端部」、「第２方向側端部」、「上方端部」、「下方端部」に相当している。
【００１９】
固定機構５は２本の固定部材５１、５２を有している。各固定部材５１、５２は、帯状片を石製灯籠２の内部に向けて強制湾曲してなる平面視で略Ｕ字形状を有しており、強制湾曲状態で固定部材５１、５２の右側端部が枠部材４の右側端部４２Ｒに連結されるとともに固定部材５１、５２の左側端部が枠部材４の左側端部４２Ｌに連結されている。各固定部材５１、５２には、枠部材４との連結部位近傍に係止部位が形成されている。より具体的には、固定部材５１、５２の一部に各連結部位側より切り込み部を設けるとともに、図３の破線箇所を折り曲げ箇所として切り込み片部を灯籠本体部２２の内壁面に向けて折り曲げることで、合計４個の切り込み片部が係止部位５３として形成されている。これらの係止部位５３は、後述するようにして固定部１１が灯籠本体部２２に対して装着されると、灯籠本体部２２の内壁面と接触して固定部材５１、５２の変位を防止し、これによって固定部１１全体を灯籠本体部２２に対してしっかりと固定している。
【００２０】
また、各固定部材５１、５２は、右側端部４２Ｒと左側端部４２Ｌを互いに離間させる方向（水平方向）に付勢力を与えている。なお、この実施形態では枠部材４の下方端部４２Ｄの下方部位を石製灯籠２の内部に折り曲げて下方端部４２Ｄの剛性を上方端部４２Ｕよりも高めている。このため、上方端部４２Ｕと下方端部４２Ｄの湾曲変形の容易さを比較すると、上方端部４２Ｕが下方端部４２Ｄに比べて湾曲変形しやすく、後述するように固定部１１を石製灯籠２に装着した際、上方端部４２Ｕが灯籠本体部２２の湾曲周面に沿った形状に湾曲して灯籠本体部２２の周面との隙間を小さくすることができる。通常では石製灯籠２は墓石の設置面近傍に配置されることが多く、ユーザは上方から石製灯籠２を見下ろすこととなる。したがって、石製灯籠２を見た際に扉１の上方側が石製灯籠２にぴったりと密着している状態をユーザは見ることとなり、ユーザに対して優れた美観を与える。一方、下方端部４２Ｄでは湾曲変形の容易性が上方端部４２Ｕに比べて多少劣るものの、固定部１１の剛性が高められて固定部１１をしかりと石製灯籠２に固定することができる。
【００２１】
さらに、このように固定機構５により灯籠本体部２２に固定された枠部材４では、右側端部４２Ｒの上方端および下方端に回動支持部４３、４４がそれぞれ設けられており、回動支持部４３、４４に対して連結部１３を介して扉本体１２が連結されている。
【００２２】
この連結部１３は、ステンレスバネ鋼（例えばＳＵＳ３０１等）をブーメラン状に成形した２本のリンク部材１３１、１３２を有している。これらのうち上方リンク部材１３１は、その一方端が上方回動支持部４３に対してビス６によって回動軸ＲＡ１回りに回動自在に軸支されるとともに、その他方端が扉本体１２の左側端部１２Ｌの上方端に取り付けられた回動支持部１２４に対してビス６によって回動軸ＲＡ２回りに回動自在に軸支されている。また、もう一方の下方リンク部材１３２も上方リンク部材１３１と同様に構成されている。すなわち、下方リンク部材１３２は、その一方端が下方回動支持部４４に対してビス６によって回動軸ＲＡ３回りに回動自在に軸支されるとともに、その他方端が扉本体１２の左側端部１２Ｌの下方端に取り付けられた回動支持部１２５に対してビス６によって回動軸ＲＡ４回りに回動自在に軸支されている。このため、扉本体１２を「左開き」、「右開き」に回動させたり、「全開き」することが可能となっている。なお、この動作については、後で図４を参照しながら詳述する。
【００２３】
また、上方リンク部材１３１の上面には、略半円球状の微小突起１３３が設けられており、上方リンク部材１３１が枠部材４側に移動して上方リンク部材１３１の一部が開口部４１内に入り込むときに、微小突起１３３が上方端部４２Ｕの下方端面を乗り越えて固定機構５側に入り込む。こうして微小突起１３３が上方端部４２Ｕと係合し、扉本体１２に対して所定以上の外力が加わらない限り、上方リンク部材１３１は静止した状態に維持される。このように本実施形態では、微小突起１３３が固定部１１の上方端部４２Ｕに対して係脱自在となっており、本発明の「上方係合部」として機能している。
【００２４】
さらに、下方リンク部材１３２側にも、上方リンク部材１３１と同様に、下方リンク部材１３２に係合部１３４が設けられている。この係合部１３４は下方リンク部材１３２の上面中央部から枠部材４側に設けられており、その先端部が丸フック形状を有しており、その湾曲部分が下方を向くように係合部１３４は取り付けられている。このため、下方リンク部材１３２が枠部材４側に移動して係合部１３４が開口部４１内に入り込むときに、その先端湾曲部が下方端部４２Ｄの上方端面を乗り越えて固定機構５側に入り込む。こうして係合部１３４が下方端部４２Ｄと係合し、扉本体１２に対して所定以上の外力が加わらない限り、下方リンク部材１３２は静止した状態に維持される。このように本実施形態では、係合部１３４が固定部１１の下方端部４２Ｄに対して係脱自在となっており、本発明の「下方係合部」として機能している。
【００２５】
次に、図４を参照しつつ灯籠本体部２２への扉１の装着手順および扉本体１２の開閉動作について説明する。図４は灯籠本体部への扉の装着手順および扉本体の開閉動作を示す図である。なお、ここでは、固定部１１に対する扉本体１２および／またはリンク部材１３１、１３２の動作を理解し易いように、各部を模式的に示している。
【００２６】
石製灯籠用扉１を準備した段階（装着前）では、扉本体１２は固定部１１の枠部材４に近接されて開口部２３は閉じられている。このとき、微小突起（上方係合部）１３３および下方係合部１３４はそれぞれ上方端部４２Ｕおよび下方端部４２Ｄと係合して扉本体１２はしっかりと閉じられた状態となっている。そして、この石製灯籠用扉１の固定機構５を灯籠本体部２２の内部に向けた状態で石製灯籠用扉１を図４（ａ）中の矢印ＡＲで示す方向に移動させる。このとき、ユーザや取付作業者は各固定部材５１、５２を左右方向から絞り込みながら灯籠本体部２２の内部に圧入してもよい。また、各固定部材５１、５２は外力を受けて一定範囲内で変形可能であるため、各固定部材５１、５２をそのまま開口部２３を介して灯籠本体部２２の内部に挿入するようにしてもよい。ここで、圧入時に固定部材５１、５２が開口部２３で弾性変形するが、固定部材５１、５２を灯籠本体部２２の内部に挿入した段階でバネ力により固定部材５１、５２は広がり、灯籠本体部２２の内周面に密着して固定される（図４（ｂ））。
【００２７】
そして、扉本体１２を左開きする場合には、図４（ｃ）に示すように扉本体１２の右側端部１２Ｒを操作して扉本体１２のみを回動軸ＲＡ２、ＲＡ４回りに回動させると、扉本体１２が回動しながら開口部２３から離れて「左開き」により開口部２３が開放される。このとき、微小突起１３３および下方係合部１３４はそれぞれ上方端部４２Ｕおよび下方端部４２Ｄと係合して両リンク部材１３１、１３２とも固定部１１としっかりと一体となっており、「左開き」操作時にリンク部材１３１、１３２ががたついたり、リンク部材１３１、１３２が飛び出してくるなどの不都合を確実に防止することができる。また、開口部２３を閉じる場合には、上記と逆の動作により行うことができる。
【００２８】
また、扉本体１２を右開きする場合には、図４（ｄ）に示すように扉本体１２の左側端部１２Ｌを操作して扉本体１２とリンク部材１３１、１３２を一体的に回動軸ＲＡ１、ＲＡ３回りに回動させると、扉本体１２が回動しながら開口部２３から離れて「右開き」により開口部２３が開放される。また、開口部２３を閉じる場合には、上記と逆の動作により行うことができる。
【００２９】
さらに、同図（ｅ）に示すように、「左開き」操作と「右開き」操作を組み合わせることで扉本体１２を大きく正面側（同図の下方側）に移動させることができる（「全開き」）。このように「全開き」では、「左開き」操作と「右開き」操作を少しずつ行ったとしても、ロウソク立て１５を正面側に引き出すことができ、特に石製灯籠２が左右に狭小な場所に設置されている場合でもロウソク立て１５を確実に引き出し、また容易に元に戻すことができるという作用効果を有している。
【００３０】
以上のように、上記実施形態によれば、固定部１１に対して連結部１３を介して扉本体１２が連結されており、上記のように「左開き」操作、「右開き」操作および「全開き」操作のいずれを行う場合であっても、扉本体１２が分離されることなく、扉本体１２の紛失、破損などを確実に防止することができる。
【００３１】
また、上方リンク部材１３１に微小突起１３３を上方係合部として設け、また下方リンク部材１３２に下方係合部１３４を設けている。このため、石製灯籠２を使用していない間、各係合部１３３、１３４がそれぞれ上方端部４２Ｕおよび下方端部４２Ｄと係合して扉本体１２はしっかりと閉じられた状態となっており、強風や振動などにより扉本体１２が開いたり、破損するなどの事故を確実に防止することができる。また、上記したように「左開き」操作を安定して行うことができる。
【００３２】
また、上記実施形態では、「右開き」および「全開き」動作時にリンク部材１３１、１３２はそれぞれ回動支持部４３、４４との連結部で片持ち状態で支持される。したがって、強度面から各リンク部材１３１、１３２を厚肉で構成することも考えられるが、この場合、リンク部材１３１、１３２の重量増加は避けられない。また、上記実施形態では、図１や図３からわかるように、開口部２３を閉じたとき、上下方向において上方端部４２Ｕと扉本体１２の間に上方リンク部材１３１が位置するとともに下方端部４２Ｄと扉本体１２の間に下方リンク部材１３２が位置する。したがって、リンク部材１３１、１３２を厚肉化した分だけ扉本体１２の上下サイズを縮小する必要がある。これに対し、ステンレスバネ鋼などのバネ鋼によりリンク部材１３１、１３２を製造することで、リンク部材１３１、１３２のバネ特性が格段に上昇し、リンク部材１３１、１３２が多少撓んだとしても、すかさず元の状態に戻る。したがって、リンク部材１３１、１３２を厚肉化することなく、「右開き」および「全開き」動作に十分に対応することができる。
【００３３】
なお、本発明は上記した実施形態に限定されるものではなく、その趣旨を逸脱しない限りにおいて上述したもの以外に種々の変更を行うことが可能である。例えば、上記実施形態では、枠部材４の右側端部４２Ｒと扉本体１２の左側端部１２Ｌとをリンク部材１３１、１３２を介して連結しているが、枠部材４の左側端部４２Ｌと扉本体１２の右側端部１２Ｒとをリンク部材１３１、１３２を介して連結してもよく、この場合、左側方向（−Ｘ）が本発明の「第１方向」に相当し、右側方向（＋Ｘ）が本発明の「第２方向」に相当する。
【００３４】
また、上記実施形態では、リンク部材１３１、１３２の両端を枠部材４および扉本体１２に連結する連結部材としてビス６を用いているが、他の連結部材（例えばリベットや丁番など）を用いてもよいことは言うまでもない。
【００３５】
また、固定機構５の構成については、上記実施形態の方式に限定されるものではなく、枠部材４を灯籠本体部２２に装着可能な任意の方式、例えば特許文献１に記載された固定方式、特許第３０１２００号に記載の固定方式（灯籠本体部２２の内壁面に突張部材を押圧して固定する、いわゆる「内周面押圧方式」）、あるいは枠部材４とクリップ部材とで灯籠本体部２２の壁を挟み込む「挟み込み方式」などを用いることができる。
【符号の説明】
【００３６】
１…石製灯籠用扉
２…石製灯籠
４…枠部材（固定部）
５…固定機構（固定部）
１１…固定部
１２…扉本体
１２Ｌ…（扉本体の）左側端部
１２Ｒ…（扉本体の）右側端部
１３…連結部
２２…灯籠本体部
２３…（石製灯籠の）開口部
４２Ｄ…（枠部材の）下方端部
４２Ｌ…（枠部材の）左側端部
４２Ｒ…（枠部材の）右側端部
４２Ｕ…（枠部材の）上方端部
５１…固定部材
１２４、１２５…回動支持部
１３１…上方リンク部材
１３２…下方リンク部材
１３３…微小突起（上方係合部）
１３４…下方係合部
【図１】
2010287500.tif 000003
【図２】
2010287500.tif 000004
【図３】
2010287500.tif 000005
【図４】
2010287500.tif 000006